(57)【要約】【課題】表示パネルの前面に保護板を有し、保護板と表示パネルの間に透明層を有する表示装置において、一般的な表示装置の作製法では、保護板と表示パネルの間に透明層のみが存在するので、外部から機械的な力が作用したときの耐久性が低下してしまう。【解決手段】表示パネルと、その前面側に透明な保護板と、前記表示パネル及び前記保護板の間に透明層を有する表示装置であって、筐体が分離し、保護板が筐体にスライドしながら表示装置に設置できることを特徴とする。この場合、表示パネルと一体化している保護板は表示装置の筐体よりも上側に来るために、前面板に機械的な力が作用した場合、その力が筐体でも支えることができる。【選択図】図１
2007140220.tif 000002
【特許請求の範囲】
【請求項１】
表示パネルと、
前記表示パネルの一方面側に配置された透明な保護板と、
前記表示パネル及び前記保護板の間に配置された透明層と、
前記表示パネルの一方面側に配置された第１の筐体と、
前記表示パネルの他方面側に配置された第２の筐体と、を有し、
前記第１の筐体が２つ以上に分離することを特徴とする表示装置。
【請求項２】
表示パネルと、
前記表示パネルの一方面側に配置された透明な保護板と、
前記表示パネル及び前記保護板の間に配置された透明層と、
前記表示パネルの一方面側に配置された第１の筐体と、
前記表示パネルの他方面側に配置された第２の筐体と、を有し、
前記第２の筐体は、前記保護板を支持する支持部材を有することを特徴とする表示装置。
【請求項３】
請求項１または請求項２記載の表示装置において、
前記保護板は、前記表示パネルよりも大きな面を有することを特徴とする表示装置。
【請求項４】
請求項１記載の表示装置において、
前記２つ以上に分離された第１の筐体のうち、少なくとも１つの第１の筐体は、他の第１の筐体に差し込む差込構造を有することを特徴とする表示装置。
【請求項５】
請求項１または請求項２記載の表示装置において、
前記表示パネルは、一対の基板に液晶層が挟持された液晶パネルであることを特徴とする表示装置。
【請求項６】
請求項１または請求項２記載の表示装置において、
前記表示パネルは、発光層を有する有機エレクトロルミネッセンスパネルであることを特徴とする表示装置。
【発明の詳細な説明】
【技術分野】
【０００１】
本発明は、表示パネルの前面に透明な保護板を備える表示装置に関する。
【背景技術】
【０００２】
携帯電話などの携帯機器に搭載される表示装置としては、液晶表示装置や、有機エレクトロルミネッセンス表示装置がある。これらの表示装置にはパッシブ駆動方式やアクティブ駆動方式があるが、詳細な構成や動作については周知であるのでその説明はここでは省略する。
【０００３】
このような表示装置が携帯電話や携帯ゲーム機器などの携帯装置に搭載される場合には、外部からの機械的な力の作用により表示が乱れること、さらには破壊してしまうことを防止するため、表示パネルの前面に透明な保護板を設ける。このとき、外部からの機械的な力が直接表示パネルに作用しないように、保護板は表示装置の筐体に固定されている。
【０００４】
保護板は空気と異なる屈折率を有するため、保護板と空気との界面では反射が生じる。つまり、保護板を備える表示パネルでは、保護板の前面と背面で不要な界面反射が生じるため、特に周囲の環境が明るい場合には表示装置の視認性が著しく損なわれてしまう。
【０００５】
保護板を備えることにより生じる不要な反射を抑制する方法として、例えば特許文献１には、保護板と表示パネルとの間に保護板と略同一の屈折率の液状材料で構成される外光反射防止層を設ける表示装置が開示されている。
【０００６】
この場合、保護板と外光反射防止層との間の境界面や外光反射防止層と表示パネルとの間の境界面での反射を抑制することができる。
【０００７】
【特許文献１】特開平５−１１２３９号公報
【発明の開示】
【発明が解決しようとする課題】
【０００８】
表示装置を作製する際、一般的には背面側の筐体に表示パネルを固定した後、前面側の筐体を固定する。ここで、前面側はメインの表示パネルが表示する側とし、背面側とはその反対側と定義する。このような配置にすることで、保護板は必ず前面側の筐体の上部に配置される。
【０００９】
しかしながら、上述した特許文献１のように保護板と表示パネルの間に不要な界面反射を抑制するための外光反射防止層を設ける場合、前面側の筐体は必ず保護板の上側に配置されてしまう。これは表示パネルと保護板を一体化しているためである。このような配置では保護板に機械的な力が作用した場合、その力は直接表示パネルに作用してしまい、表示パネルの耐久性が低下してしまう課題が生じる。
【００１０】
本発明は、このような従来技術の課題を解決するためになされたものであり、その目的は保護板と表示パネルの間に不要な界面反射を抑制するための外光反射防止層をもうける場合に、表示画質を低下させずに、外部から機械的な力が作用しても不具合が生じにくい表示装置を実現することにある。
【課題を解決するための手段】
【００１１】
本発明は上記目的を達成するために、表示パネルの一方面側に配置された透明な保護板と、表示パネル及び保護板の間に配置された透明層と、表示パネルの一方面側に配置された第１の筐体と、表示パネルの他方面側に配置された第２の筐体と、を有し、第１の筐体が２つ以上に分離する構成とする。
【００１２】
また、表示パネルの一方面側に配置された透明な保護板と、表示パネル及び保護板の間に配置された透明層と、表示パネルの一方面側に配置された第１の筐体と、表示パネルの他方面側に配置された第２の筐体と、を有し、第２の筐体は、保護板を支持する支持部材を有する構成とする。
【発明の効果】
【００１３】
本発明は、表示画質を低下させずに、外部から機械的な力が作用しても不具合が生じにくい表示装置を実現できる。
【発明を実施するための最良の形態】
【００１４】
以下、本発明の実施の形態について図面を参照して説明する。
【実施例１】
【００１５】
図１は本発明の表示装置を示す概略図である。以下、表示装置として携帯電話についてのみ述べるが、本発明はこれに限ったものではなく、例えばＰＤＡ（Personal Digital 
Assistance），携帯ゲーム機なども含む。
【００１６】
本実施例の表示装置は、表示パネル１０と、表示パネル１０の一方面側である前面に配置され、それを保護するための透明な保護板１１と、表示パネル１０の一方面側である前面側に配置された第１の筐体（前面側の筺体１２，１９）と、これら前面側の筐体１２，１９と分離可能で、表示パネル１０の他方面側である背面側に配置された第２の筐体（背面側の筺体１３）と、によって構成されている。また第１の筐体は２つ以上に分離可能であり、図１では前面側の筐体１２と（第１の前面側の筐体）と前面側の筐体１９（第２の前面側の筐体）とに２つに分離できる構造である。このとき図示していないが、表示パネル１０と保護板１１の間には外光反射防止するための透明層が設けられ、表示パネル１０と保護板１１と透明層は一体化している。また、図１には表示部分のみを示しているが、実際には、携帯電話であるため、表示を駆動する駆動部，電話番号を押す電話番号ボタン，音声の入出力を行う入出力部、などの機能が設置されている。
【００１７】
このように、表示パネル１０と保護板１１間に透明層を有する場合、前面側と背面側で筐体が分離でき、且つ前面側の筐体を２つ以上に分離できる構造とすることで、背面側の筐体に表示パネル１０，透明層，保護板１１とを配置し、その上に分離された前面側の筐体をスライドさせて、分離されたもう１つの前面側筐体に差し込むことができるので、表示画質を劣化させずに、外部から機械的な力が作用しても不具合が生じにくい表示装置を実現できる。さらに表示パネルと、透明層と、保護板とを容易に筐体に収めることができる効果をも達成できる。詳細は後述する。
【００１８】
以下順次具体的に説明する。図２は一体化された表示パネル１０と保護板１１と透明層１４を示す概略図である。
【００１９】
表示パネル１０は、液晶パネルや、有機エレクトロルミネッセンスパネルなどを用いることができる。また、これらの表示パネルにはパッシブ駆動方式やアクティブ駆動方式があるが、詳細な構成や動作については周知であるのでここではその説明は省略する。表示パネル１０の表面には、例えば液晶パネルであれば偏光板の保護部材等であり、エレクトロルミネッセンスパネルであれば、ガラスやプラスティック，ポリエーテルサルホン等が用いられる。それらいずれの物も屈折率は１.４から１.６程度である。
【００２０】
保護板１１は外部からの機械的な力から表示パネル１０を保護するために取り付けられている。保護板１１としては可視領域に吸収がほとんど無い透明な板を用いることができる。具体的にはアクリルやポリカーボネートなどの透明な樹脂からなる板やガラス板を使用することができる。それらいずれの物も屈折率は表示パネルと同じ１.４から１.６程度である。
【００２１】
透明層１４は外光反射防止をするために取り付けられている。透明層１４の屈折率を
１.４から１.６程度にすることで、表示パネル１０の表面層の屈折率と保護板１１の表面の屈折率の間でマッチングを取ることができ、外光の反射を防止することができる。
【００２２】
この透明層としては、例えばモノマーを熱硬化，光硬化することにより重合させる熱硬化樹脂や、光硬化樹脂、或いはすでに重合が完了している熱可塑性の樹脂を挙げることができる。
【００２３】
保護板１１と表示パネル１０の間に透明層１４を充填する方法としては、透明層１４が接する部材（保護板、或いは表示パネル）の周縁部に必要に応じて図示しない土手を設け、透明層１４としての熱硬化樹脂や光硬化樹脂のモノマーを保護板１１と表示パネル１５との隙間に充填後、適切な熱、或いは光を与えることにより硬化させるという方法がある。これら樹脂のモノマーとしては、モノマー内の２重結合を用いて重合させるもの、脱水反応により重合させるもの、脱アルコール反応等が挙げられる。
【００２４】
モノマー内の２重結合を用いて重合させるものとしてスチレン，メチルメタクリレート，エチルメタクリレート，プロピルメタクリレート，イソプロピルメタクリレート，ブチルメタクリレート，イソブチルメタクリレート，ヘキシルメタクリレート，メチルアクリレート，エチルアクリレート，プロピルアクリレート，イソプロピルアクリレート，ブチルアクリレート，イソブチルアクリレート等が挙げられる。これらを単独、或いは複数種用いることで透明層を形成する。
【００２５】
脱水反応により重合させるモノマーとしては、末端に２個以上の水酸基、或いはグリシジル基、２個以上のアミノ基を有するものと、末端に２個以上のカルボキシル基、或いはカルボン酸無水物構造を有するものが縮重合するものが挙げられる。
【００２６】
末端に水酸基を有するものとしては、エチレングリコール，プロピレングリコール，ジエチレングリコール、１，３−ジヒドロキシシクロブタン、１，４−ジヒドロキシシクロヘキサン、１，５−ジヒドロキシシクロオクタン等、末端にグリシジル基を有するものとしては、エチレングリコールモノグリシジルエーテル，エチレングリコールジグリシジルエーテル等が挙げられる。
【００２７】
末端にアミノ基を有するものとしては、エチレンジアミン、１，４−ジアミノブタン、１，６−ジアミノヘキサン、１，４−ジアミノベンゼン、２，６−ジアミノナフタレン，メラミン等が挙げられる。
【００２８】
末端にカルボキシル基を有するものとしては、アジピン酸、１，３−フタル酸、１，４−フタル酸，フマル酸，マレイン酸，トリメリト酸，ピロメリト酸等が挙げられる。
【００２９】
末端にカルボン酸無水物構造を有するものとしては、無水マレイン酸，無水フタル酸，無水ピロメリト酸等が挙げられる。
【００３０】
脱アルコール反応により重合させるものとしては、アルコキシシラン基を有する化合物，アルコキシチタン基を有する化合物が挙げられる。具体的には、テトラメトキシシラン，テトラエトキシシラン，テトラプロポキシシラン，テトラブトキシシラン，メチルトリメトキシシラン，エトキシトリメトキシシラン，ブチルトリメトキシシラン，メチルトリエトキシシラン、エチルトリエトキシシラン，ブチルトリエトキシシラン，１−アミノプロピルトリエトキシシラン，１−クロルプロピルトリエトキシシラン，１−グリシジルプロピルトリエトキシシラン等が挙げられる。
【００３１】
また、ポリイソブチレンのように弾性の高い材料を用いることで、透明層は衝撃に対する緩衝作用を向上させることも可能である。透明層１４の硬さとしては、ゴム硬度測定の規格ＪＩＳ  Ｋ  ６２５３において、硬度５から硬度４０が好適である。これは硬度５未満の場合は長期にわたって透明層１４を保持する際の信頼性が下がるおそれがあり、また硬度４０を超えると、衝撃に対する緩衝効果が低下する傾向があることを実験，計算等により発見できた。
【００３２】
また、熱可塑性樹脂としては、ポリスチレン，スチレン／アクリル樹脂，アクリル樹脂，ポリエステル樹脂，ポリプロピレン，ポリイソブチレン等が挙げられる。これらはＴｇ以上に加温することにより液状化して充填することができる。
【００３３】
尚、本実施例は透明層が液体の場合を除外するものではない。この場合、以下のような方法で透明層を充填することができる。まず透明層の接する部材（保護板、或いは液晶セル）の周囲に図示しないバンクを設け、次に液状の透明層組成物を注入し、気泡が入っている場合は、オートクレーブ等の装置で加圧、或いは加圧・加熱したり、バイブレータ等で振動を与えたり、吸引する等して気泡を除去する。透明層が液状の場合、例えばアルコール（炭素数６以上），ジオール（エチレングリコール，プロピレングリコール等），炭化水素（炭素数１０以上），エチレングリコールのモノアルキルエーテル，エチレングリコールのモノアルキルエステル，ジエチレングリコールのモノアルキルエーテル，ジエチレングリコールのモノアルキルエステル，トリエチレングリコールのモノアルキルエーテル，トリエチレングリコールのモノアルキルエステル等を用いることができる。
【００３４】
透明層の厚さは、液体の場合、バンクを形成する際の精度を確保するため、或いは気泡を抜けやすくするため、少なくとも０.１mm 以上が望ましい。また、厚すぎると、外部からの機械的な力から表示パネル１０を保護することも可能だが、特に液体の場合、液体の重量が増加するためバンクの液体保持が困難になってくる。
【００３５】
このように、透明層を液状として充填する場合、工程や構造が煩雑になる。このため、透明層として液状素材の代わりにシート状の素材を適用することが、その扱い易さと加工性が良いことから望ましい。この場合、シート状の透明層としては、いわゆる透明なエラストマーを用いればよく、その弾性率は１×１０5〜３×１０5Ｐａとし、厚さは０.１mm 〜１mm程度とすることが扱い易さの面から望ましい。
【００３６】
透明層１４は少なくとも表示パネル１０の表示領域（画面）を全て覆うように配置される。
【００３７】
通常、携帯電話等の表示装置は、表示パネル１０と保護板１１は独立であるが、外光反射防止をするための透明層１４を設置すると、表示パネル１０と保護板１１は一体化した状態で筺体に設置しなければならない。
【００３８】
前面側の筺体１２は、表示パネル１０および保護板１１を固定し、携帯電話としての形を成すために設置されている。さらに図示はしていないが、前面側の筺体１２に、携帯電話を駆動するための回路等を設置しても良い。前面側の筺体１２は、落としても破壊しない程度に丈夫であればよく、プラスティックや金属などが使用できる。
【００３９】
背面側の筺体１３は、表示パネル１０を固定し、携帯電話としての形を成すために設置されている。さらに図示はしていないが、背面側の筺体１３に、携帯電話を駆動するための回路やサブディスプレイ等を設置しても良い。背面側の筺体１３は、落としても破壊しない程度に丈夫であればよく、プラスティックや金属などが使用できる。
【００４０】
分離可能な前面側の筺体１９は、表示パネル１０と保護板１１を固定し、携帯電話としての形を成すために設置されている。さらに、図示はしていないが、分離可能な前面側の筺体１９に、携帯電話を駆動するための回路等を設置しても良い。分離可能な前面側の筺体１９は、落としても破壊しない程度に丈夫であればよく、プラスティックや金属などが使用できる。
【００４１】
従来の携帯電話の表示部分の断面構造は、例えば、背面側の筺体に表示パネルが設置され、背面側の筐体と接続された前面側の筺体が設置され、さらにその上に保護板が設置されている。保護板と表示パネルとの間には空気層が存在する。しかしながら、図２に示した外光の反射を防止する層である透明層１４を用いた場合、従来の携帯電話を作製する方法では上記のような構成にならない。
【００４２】
よって本発明の構成に基づく作製方法について以下説明する。
【００４３】
図３に、図１に示したＡ−Ａ′間の透明層１４を用いた携帯電話の表示部分の断面図について一例を示した。
【００４４】
透明層１４を用いた携帯電話は、背面側の筐体１３に、一体化された表示パネル１０と保護板１１と透明層１４が設置され、背面側の筐体１３と接続された前面側の筺体１２が設置されている。上述した従来の構成の場合は、保護板１１に外部から機械的な力が作用した場合、直接表示パネル１０に力は作用せずに、保護板１１の縁を前面側の筺体１２と空気層１５によって支えることができる。一方、図３に示したような構成の場合、保護板１１の縁は、前面側の筺体１２によって支えられていないために、外部から機械的な力が作用した場合、その力は直接表示パネルに作用する。つまり、保護板の効果が半減してしまう。
【００４５】
この課題を解決する方法として、図１を用いて説明した前面側の筐体が分離するような構成が考えられる。図２に示したように、保護板１１は表示パネル１０よりも大きく、分離可能な前面側の筺体１９に差し込めるような構造をしている。このとき、透明層１４の大きさは、表示パネル１０の大きさ以上であり、保護板１１の大きさ以下であればよい。
【００４６】
図４に、透明層１４を用いながら、分離可能な前面側の筺体１９を用いた携帯電話の表示部分の断面図について一例を示した。
【００４７】
透明層１４を用いながら、分離可能な前面側の筺体１９を用いた携帯電話は、背面側の筐体１３に、一体化された表示パネル１０と保護板１１と透明層１４が設置されている。前面側の筐体１９には、もう一方の前面側の筐体１２を差し込む差込構造、例えば溝部が形成され、スライドさせながら、前面側の筐体１２に差し込めるように設置することができる。このような構成にすることで、保護板１１の縁は前面側の筐体１２もしくは分離可能な前面側の筐体１９によって、支えられているため外部から機械的な力が作用したとしても、直接表示パネル１０に機械的な力が作用することはない。さらに、透明層１４によっても力が吸収されるので、外部から機械的な力が作用しても不具合が生じにくい表示装置を作ることができる。また、通常は筐体に表示パネル１０を保持するための部分は非表示領域になってしまうが、前面側の筐体１２と分離可能な前面側の筐体１９の保護板１１を支えている部分を透明にすることで、有効表示領域にすることができる。
【００４８】
上記課題を解決するために用いることができる構成は図１示された構成だけではなく、保護板１１を前面側の筐体１２に差し込むような差込構造、例えば溝部が前面側の筐体
１２に形成してあっても良く、例えば図５に示されたような構成でも良い。
【００４９】
実際に本実施例によって形成される携帯電話の形態例を図６に示した。ここで、図６
（ａ）は図１の構成で、前面側の筐体１２と１９との接合部２０が表示パネル１０のほぼ中央部に位置した構造で、図６（ｂ）は図５の構成で、前面側の筐体１２と１９との接合部２０が表示パネル１０の端部に位置した構造となっている。
【００５０】
このように本実施例の構造によれば、表示パネルの前面に保護板を有し、保護板と表示パネルの間に透明層を有する表示装置において、表示画質を低下させずに、外部から機械的な力が作用しても不具合が生じにくい表示装置を提供することができる。
【実施例２】
【００５１】
図７は本発明に係る表示装置を他の実施例を示す概略図である。
【００５２】
本実施例の表示装置は、表示パネル１０と、表示パネル１０の一方面側である前面に配置され、それを保護するための透明な保護板１１と、表示パネル１０の一方面側である前面側に配置された第１の筐体（前面側の筺体１２）と、これら前面側の筐体１２に対応する分離可能で、表示パネル１０の他方面側である背面側に配置された第２の筐体（背面側の筺体１３）と、これら第１の筐体及び第２の筐体と分離可能で、前面及び背面が一体化した第３の筐体（一体化された前面側と背面側の筐体１６）と、によって構成されている。このとき図示していないが、表示パネル１０と保護板１１の間には外光反射防止するための透明層が設けられ、表示パネル１０と保護板１１と透明層は一体化している。また、図７には表示部分のみを示しているが、実施例１と同様、実際には様々な機能が設置されている。
【００５３】
一体化された表示パネル１０と保護板１１と透明層１４は、実施例１の図２と同様である。また、他の基本的な構成部材は実施例１と同様である。
【００５４】
分離可能な一体化された前面側と背面側の筐体１６は、表示パネル１０と保護板１１を固定し、携帯電話としての形を成すために設置されている。さらに、図示はしていないが、分離可能な一体化された前面側と背面側の筐体１６に、携帯電話を駆動するための回路等を設置しても良い。分離可能な一体化された前面側と背面側の筐体１６は、落としても破壊しない程度に丈夫であればよく、プラスティックや金属などが使用できる。
【００５５】
また一体化された前面側と背面側の筐体１６は、第１の筐体及び第２の筐体に差し込む差込構造、例えば溝部、または接続構造が形成されている。
【００５６】
上記のような構成によって、表示パネル１０と保護板１１と透明層１４が一体化している場合に、分離可能な一体化した前面側と背面側の筐体１６を差し込むことによって、実施例１の図５に示したような、保護板の縁を前面側の筐体１２で支えることが可能になる。このような構成にすることで、保護板１１の縁は前面側の筐体１２もしくは分離可能な一体化した前面側と背面側の筐体１６によって、支えられているため外部から機械的な力が作用したとしても、直接表示パネル１０に機械的な力が作用することはない。さらに、透明層１４によっても力が吸収されるので、外部から機械的な力が作用しても不具合が生じにくい表示装置を作ることができる。また、通常は筐体に表示パネル１０を保持するための部分は非表示領域になってしまうが、前面側の筐体１２と分離可能な一体化した前面側と背面側の筐体１６の保護板１１を支えている部分を透明にすることで、有効表示領域にすることができる。
【００５７】
実際に本実施例によって形成される携帯電話の形態例を図８に示した。
【００５８】
本実施例は、表示パネル１０の前面に保護板１１を有し、保護板１１と表示パネル１０の間に透明層を有する表示装置において、表示画質を低下させずに、外部から機械的な力が作用しても不具合が生じにくい表示装置を提供することができる。
【実施例３】
【００５９】
次に、図９は本発明に係る表示装置の他の実施例を示す概略図である。
【００６０】
本実施例の表示装置は、表示パネル１０と保護板１１と透明層１４が一体化した表示部１７と、表示部１７の一方面側である背面側の筐体１３（第２の筐体）と、その背面側の筐体に接続され、保護板１１を支持する支持部材１８と、図示されていないが前面側の筐体１２（第１の筐体）と、によって構成されている。また、図９には表示部分のみを示しているが、実際には実施例１，２と同様に、様々な機能が設置されている。
【００６１】
一体化された表示部１７は、実施例１の図２と同様な構成である。また、他の基本的な構成部材は実施例１と同様である。
【００６２】
保護板を支持する支持部材１８は、本実施例では保護板１１の縁を支持するために設置されている。保護板の支持部材１８は、保護板１１の縁を支持できれば部材は特に限定されず、例えば、プラスティックや金属、もしくはゴムのような弾性体でもかまわない。また、保護板の支持部材１８は背面側の筐体１３と完全に一体化されていても良い。また、保護板の支持部材１８は、図９に示されているように外周すべてを覆い尽くす必要はなく、ある一部だけでもかまわない。
【００６３】
図１０に図９に示したＢ−Ｂ′間の本実施例によって構成された携帯電話の表示部分の断面図について一例を示した。
【００６４】
表示パネル１０と保護板１１と透明層１４が一体化している場合に、保護板１１は背面側の筐体１３に設置されている保護板の支持部材１８によって支えられているため外部から機械的な力が作用したとしても、直接表示パネル１０に機械的な力が作用することはない。さらに、透明層１４によっても力が吸収されるので、外部から機械的な力が作用しても不具合が生じにくい表示装置を作ることができる。また、筐体に表示パネル１０を保持するための部分は非表示領域になってしまうが、前面側の筐体１２の保護板１１を支えている部分を透明にすることで、有効表示領域にすることができる。
【００６５】
上記課題を解決するためには、保護板の支持部材１８の形状は図１０のようなものだけに限ったわけではなく、例えば図１１のように、前面側の筐体１２に保護板の支持部材
１８と背面側の筐体１３の両方が設置されても良い。
【００６６】
実際に本実施例によって形成される携帯電話の形態例を図１２に示した。このようにすれば、前面側の筐体と背面側の筐体との接続部２０のみだけで接続できるので、部品点数を少なくすることができる。
【００６７】
本実施例は、表示パネルの前面に保護板を有し、保護板と表示パネルの間に透明層を有する表示装置において、表部品点数を抑え、且つ表示画質を低下させずに、外部から機械的な力が作用しても不具合が生じにくい表示装置を提供することができる。
【図面の簡単な説明】
【００６８】
【図１】本発明に係る表示装置の一実施例を示す概略図である。
【図２】図１の表示パネルと保護板と透明層の一断面例を示す図である。
【図３】本発明に係る表示装置の表示部分の一断面例を示す図である。
【図４】本発明に係る表示装置の表示部分の他の断面例を示す図である。
【図５】本発明に係る表示装置の他の実施例を示す概略図である。
【図６】図５の表示装置の一完成例を示す図である。
【図７】本発明に係る表示装置の他の実施例を示す概略図である。
【図８】図７の表示装置の一完成例を示す図である。
【図９】本発明に係る表示装置の他の実施例を示す概略図である。
【図１０】図９の表示パネルと保護板と透明層の一断面例を示す図である。
【図１１】図９の表示パネルと保護板と透明層の他の断面例を示す図である。
【図１２】図９の表示装置の一完成例を示す図である。
【符号の説明】
【００６９】
１０…表示パネル、１１…保護板、１２…前面側の筺体、１３…背面側の筺体、１４…透明層、１６…一体化された前面側と背面側の筐体、１７…表示部、１８…支持部材、
１９…前面側の筺体、２０…接合部。
【図１】
2007140220.tif 000003
【図２】
2007140220.tif 000004
【図３】
2007140220.tif 000005
【図４】
2007140220.tif 000006
【図５】
2007140220.tif 000007
【図６】
2007140220.tif 000008
【図７】
2007140220.tif 000009
【図８】
2007140220.tif 000010
【図９】
2007140220.tif 000011
【図１０】
2007140220.tif 000012
【図１１】
2007140220.tif 000013
【図１２】
2007140220.tif 000014